(57)【特許請求の範囲】
【請求項１】
管理対象の各物品にそれぞれ添えられる複数の表示端末と、前記各物品を識別する物品コードに関連付けてその物品コードで識別される前記物品に添えられた前記表示端末を識別する端末コードとその物品が存在する場所の情報とが設定されたデータベースを管理するサーバと、入力デバイスと表示デバイスとを備える携帯端末と、を含み、
前記サーバは、前記各表示端末と前記場所毎に設けられた中継機を介して第１の通信ネットワークで接続し、かつ、前記携帯端末と前記第１の通信ネットワークとは異なる第２の通信ネットワークで接続し、
前記携帯端末と前記各表示端末とは、近距離無線通信チップを搭載してなる物品管理システムであって、
前記表示端末は、当該表示端末の端末コード若しくは当該表示端末が添えられる前記物品の前記物品コードを、当該表示端末に近接された前記携帯端末に前記近距離無線通信チップを介して送信するコード送信手段、を有し、
前記携帯端末は、前記近距離無線通信チップを介していずれかの前記表示端末から受信した前記端末コードまたは物品コードを、前記第２の通信ネットワークを介して前記サーバに送信するコード転送手段、を有し、
前記サーバは、前記携帯端末から前記第２の通信ネットワークを介して受信した前記端末コードまたは物品コードに関連付けられた場所の情報を前記データベースから取得し、前記第２の通信ネットワークを介して前記携帯端末に送信する場所情報送信手段、を有し、
前記携帯端末は、前記サーバから前記第２の通信ネットワークを介して受信した前記場所の情報を前記表示デバイスに表示させ、前記入力デバイスを介して確認入力を受け付けると、確認信号を前記第２の通信ネットワークを介して前記サーバに送信する確認送信手段、をさらに有し、
前記サーバは、前記携帯端末から前記第２の通信ネットワークを介して前記確認信号を受信すると、前記端末コードまたは物品コードにより特定される前記物品の存在が確認されたことを前記データベースに登録する存在登録手段、をさらに有することを特徴とする物品管理システム。
【請求項２】
前記サーバは、存在が確認されない前記物品に添えられた前記表示端末の端末コードを含む呼出信号を前記中継機から送信する呼出送信手段、をさらに有し、
前記表示端末は、前記第１の通信ネットワークを介して前記中継機から自らの端末コードを含む前記呼出信号を受信すると、警報を発する呼出警報手段、をさらに有したことを特徴とする請求項１記載の物品管理システム。
【請求項３】
前記携帯端末は、前記表示デバイスに前記場所の情報が表示された前記物品の移動先を前記入力デバイスから受け付け、受け付けた前記移動先に関する情報を前記第２の通信ネットワークを介して前記サーバに送信する移動先送信手段、をさらに有し、
前記サーバは、前記第２の通信ネットワークを介して前記携帯端末から前記物品の移動先に関する情報を受信すると、当該物品の物品コードまたは当該物品に添えられた前記表示端末の端末コードに関連付けられて前記データベースに設定されている場所の情報が前記移動先の情報と一致しない場合に、前記場所の情報を前記移動先の情報に更新するとともに前記物品の存在が確認されたことを前記データベースに登録する場所更新登録手段、をさらに有することを特徴とする請求項１または２記載の物品管理システム。
【請求項４】
管理対象の各物品にそれぞれ添えられる複数の表示端末と、前記各物品を識別する物品コードに関連付けてその物品コードで識別される前記物品に添えられた前記表示端末を識別する端末コードとその物品が存在する場所の情報とが設定されたデータベースを管理するサーバと、入力デバイスと表示デバイスとを備える携帯端末と、を含み、
前記サーバは、前記各表示端末と前記場所毎に設けられた中継機を介して第１の通信ネットワークで接続し、かつ、前記携帯端末と前記第１の通信ネットワークとは異なる第２の通信ネットワークで接続し、
前記携帯端末と前記各表示端末とは、近距離無線通信チップを搭載してなる物品管理システムであって、
前記携帯端末は、探索対象の物品を識別する物品コードを前記第２の通信ネットワークを介して前記サーバに送信する探索コード転送手段、を有し、
前記サーバは、前記携帯端末から前記第２の通信ネットワークを介して受信した前記物品コードで識別される物品に添えられる前記表示端末を識別する前記端末コードを含む問合せ信号を前記中継機から発信させる問合せ送信手段、を有し、
前記表示端末は、前記第１の通信ネットワークを介して前記中継機から自らの端末コードを含む前記問合せ信号を受信すると警報を発する問合せ警報手段、及び、前記携帯端末との近距離無線通信が行われると前記警報を停止する警報停止手段、を有したことを特徴とする物品管理システム。
【請求項５】
前記表示端末は、前記第１の通信ネットワークを介して前記中継機から自らの端末コードを含む前記問合せ信号を受信すると応答信号を前記サーバに返信する問合せ応答手段、をさらに有し、
前記サーバは、前記中継機を介して前記表示端末からの応答信号を受信すると、当該中継機が設けられた場所の情報を前記第２の通信ネットワークを介して前記携帯端末に送信する場所情報送信手段、をさらに有し、
前記携帯端末は、前記サーバから前記第２の通信ネットワークを介して受信した前記場所の情報を前記表示デバイスに表示させる場所表示手段、をさらに有することを特徴とする請求項４記載の物品管理システム。
【発明の詳細な説明】
【技術分野】
【０００１】
本発明の実施形態は、管理対象の物品が所定の場所に存在するか否かを管理する物品管理システムに関する。
【背景技術】
【０００２】
多くの電子機器を取り扱う企業体等では、電子機器が決められた場所に置かれているか否かを定期的に確認する、いわゆる棚卸を行う。従来の棚卸は、担当者が電子機器の管理台帳等を使用して、電子機器固有の機器管理番号とその電子機器が置かれている場所とを照合することで行う。このため、棚卸作業に多くの手間と時間とを費やしていた。また、電子機器が別の場所に移されていた場合には、直ぐには見つからないという問題もあった。
【０００３】
ところで、電子機器の機器管理番号は、通常、機器に添付された表示ラベルに表示されている。また、表示ラベルの代わりに、無線ネットワークを介して受信した情報をデジタル表示する表示端末を機器管理番号等の表示媒体として用いる場合もある。この種の表示端末は、一般には電子棚札と称される。電子棚札は、小売店の商品棚に取り付けられ、その棚に陳列されている商品の品名，価格等を表示する。近年、無線ネットワークの通信機能とは別に、ＲＦＩＤ(Radio Frequency Identifier）等の近距離無線通信チップを搭載した電子棚札も開発されている。
【先行技術文献】
【特許文献】
【０００４】
【特許文献１】特表２００９‐５０１９８７号公報
【発明の概要】
【発明が解決しようとする課題】
【０００５】
本発明の一実施形態が解決しようとする課題は、電子機器等の物品の棚卸作業に要する手間の軽減と作業時間の短縮を図ることにある。
【課題を解決するための手段】
【０００６】
一実施形態において、物品管理システムは、管理対象の各物品にそれぞれ添えられる複数の表示端末と、各物品を識別する物品コードに関連付けてその物品コードで識別される物品に添えられた表示端末を識別する端末コードとその物品が存在する場所の情報とが設定されたデータベースを管理するサーバと、入力デバイスと表示デバイスとを備える携帯端末とを含む。サーバは、各表示端末と場所毎に設けられた中継機を介して第１の通信ネットワークで接続し、かつ、携帯端末と第１の通信ネットワークとは異なる第２の通信ネットワークで接続する。携帯端末と各表示端末とは、近距離無線通信チップを搭載してなる。このような物品管理システムにおいて、表示端末は、当該表示端末の端末コード若しくは当該表示端末が添えられる物品の物品コードを、当該表示端末に近接された携帯端末に近距離無線通信チップを介して送信する。携帯端末は、近距離無線通信チップを介していずれかの表示端末から受信した端末コードまたは物品コードを、第２の通信ネットワークを介してサーバに送信する。サーバは、携帯端末から第２の通信ネットワークを介して受信した端末コードまたは物品コードに関連付けられた場所の情報をデータベースから取得し、第２の通信ネットワークを介して携帯端末に送信する。携帯端末は、サーバから第２の通信ネットワークを介して受信した場所の情報を表示デバイスに表示させ、入力デバイスを介して確認入力を受け付けると、確認信号を第２の通信ネットワークを介してサーバに送信する。サーバは、携帯端末から第２の通信ネットワークを介して確認信号を受信すると、端末コードまたは物品コードにより特定される物品の存在が確認されたことをデータベースに登録する。
【図面の簡単な説明】
【０００７】
【図１】電子機器の管理システムを示す模式図。
【図２】表示端末の正面図。
【図３】表示端末の構成を示すブロック図。
【図４】携帯端末の構成を示すブロック図。
【図５】サーバの構成を示すブロック図。
【図６】機器データベースに保存されるデータの構造例を示す模式図。
【図７】場所テーブルおよび中継機テーブルのデータ構造を示す模式図。
【図８】棚卸モードが選択されたときの携帯端末のＣＰＵが実行する情報処理手順を示す流れ図。
【図９】図８に示す処理ステップ「移動手続処理」の手順を具体的に示す流れ図。
【図１０】棚卸モードが選択されたときのサーバのＣＰＵが実行する情報処理手順を示す流れ図。
【図１１】図１０に示す処理ステップ「移動申請処理」の手順を具体的に示す流れ図。
【図１２】図１０に示す処理ステップ「機器探索処理」の手順を具体的に示す流れ図。
【図１３】探索モードが選択されたときの携帯端末のＣＰＵが実行する情報処理手順を示す流れ図。
【図１４】探索モードが選択されたときのサーバのＣＰＵが実行する情報処理手順を示す流れ図。
【図１５】表示端末のＣＰＵが実行する情報処理手順を示す流れ図。
【図１６】携帯端末のタッチパネルに表示される機器情報画面の一例を示す図。
【図１７】携帯端末のタッチパネルに表示される移動管理画面の一例を示す図。
【図１８】携帯端末のタッチパネルに表示される申請完了画面の一例を示す図。
【図１９】携帯端末のタッチパネルに表示される機器検出画面の一例を示す図。
【図２０】携帯端末のタッチパネルに表示される機器不明画面の一例を示す図。
【発明を実施するための形態】
【０００８】
以下、物品管理システムの一実施形態を、図面を用いて説明する。この実施形態は、電子機器を管理対象の物品とする。なお、管理対象の物品は電子機器に限定されるものではない。電子機器以外の物品であっても、決められた場所に置かれているか否かを定期的に確認する、いわゆる棚卸を行う場合には、本実施形態の電子機器をその管理対象の物品に置き換えて適用できるものである。
【０００９】
図１は、本実施形態の物品管理システム（以下、本システムと称する）１を示す模式図である。本システム１は、複数の電子機器（図１では４つの電子機器Ｍ１，Ｍ２，Ｍ３，Ｍ４）を複数の室（図１では第１ルームＲ１と第２ルームＲ２の２室）に分散して設置する企業体に構築される。電子機器Ｍ１，Ｍ２，Ｍ３，Ｍ４は、例えばサーバコンピュータ、パーソナルコンピュータ、タブレット端末、複合機等、機種を問わない。なお、図１では、電子機器Ｍ１，Ｍ２，Ｍ３，Ｍ４を簡略化して示す。因みに、電子機器の台数及びこの電子機器が置かれる室の数が、本実施形態のものに限定されないのは言うまでもないことである。
【００１０】
本システム１は、電子機器Ｍ１，Ｍ２，Ｍ３，Ｍ４毎に添えられる複数の表示端末１０と、機器管理サーバ（以下、サーバと称する）２０と、複数の中継機３０と、携帯端末４０とを含む。サーバ２０は、機器データベース５０にアクセス可能である。機器データベース５０については、後述する。
【００１１】
各中継機３０は、室Ｒ１，Ｒ２毎に設置される。本実施形態では、説明の便宜上、各室Ｒ１，Ｒ２にそれぞれ１台の中継機３０を設置する場合を例示するが、１つの室に対する中継機３０の台数は１台に限定されるものではない。
【００１２】
各中継機３０は、サーバ２０と各室Ｒ１，Ｒ２内に存在する各表示端末１０との間のデータ通信を中継する。各中継機３０と各表示端末１０との間のデータ通信は、無線ＬＡＮ（Local Area Network）等の無線ネットワーク（第１の通信ネットワーク）を利用する。各中継機３０とサーバ２０とのデータ通信は、有線または無線のネットワーク（第１の通信ネットワーク）を利用する。各中継機３０には、それぞれ固有の中継機ＩＤが設定されている。このような中継機３０は、無線基地局とも称される。
【００１３】
携帯端末４０は、例えば入力デバイスと表示デバイスとをタッチパネルで兼用したスマートフォンやタブレット端末等である。携帯端末４０は、キーボード，ポインティングデバイス等の入力デバイスと液晶ディスプレイ等の表示デバイスとを独立して備えたコンピュータ機器であってもよい。携帯端末４０は、モバイルネットワークやインターネット等を利用した通信ネットワーク（第２の通信ネットワーク）を介して、前記サーバ２０と接続される。携帯端末４０は、例えば企業体の電子機器を管理する管理者が携帯して使用する。
【００１４】
図２は、表示端末１０の正面図である。表示端末１０は、長方形の札状をなす端末本体の正面に、表示デバイス１１とブザー１７（図３を参照）のスピーカ１２とを配置する。表示デバイス１１は、例えば電子ペーパーである。カラーＬＥＤ（liquid crystal display）、セグメント表示器等を表示デバイス１１として用いることも可能である。
【００１５】
図３は、表示端末１０の構成を示すブロック図である。表示端末１０は、ＣＰＵ（Central Processing Unit）１３、ＲＯＭ（Read Only Memory）１４、ＲＡＭ(Random Access Memory)１５、無線回路１６、表示デバイス１１、ブザー１７及びＮＦＣ（Near Field Communication）チップ１８を搭載し、これらをアドレスバス，データバス等のバスラインＢＬで接続する。また図示しないが、表示端末１０は、駆動用電源としてバッテリを搭載する。このような表示端末１０は、電子棚札と称され、小売店の商品棚や倉庫の収納棚等で利用される。
【００１６】
ＣＰＵ１３は、コンピュータの中枢部分に相当する。ＣＰＵ１３は、オペレーティングシステムやアプリケーションプログラムに従って、表示端末１０としての各種の機能を実現するべく各部を制御する。
【００１７】
ＲＯＭ１４は、上記コンピュータの主記憶部分に相当する。ＲＯＭ１４は、上記のオペレーティングシステムやアプリケーションプログラムを記憶する。ＲＯＭ１４は、ＣＰＵ１３が各部を制御するための処理を実行する上で必要なデータを記憶する場合もある。ＲＯＭ１４は、当該表示端末１０に対して割り当てられた固有の識別コードである棚札ＩＤ（端末コード）を記憶する。ＲＯＭ１４は、電気的にデータの書き換えが可能なフラッシュＲＯＭであってもよい。
【００１８】
ＲＡＭ１５は、上記コンピュータの主記憶部分に相当する。ＲＡＭ１５は、ＣＰＵ１３が処理を実行する上で必要なデータを記憶する。またＲＡＭ１５は、ＣＰＵ１３によって情報が適宜書き換えられるワークエリアとしても利用される。
【００１９】
無線回路１６は、設定された中継機ＩＤにより識別される中継機３０と、所定の無線周波数を使用して双方向の無線通信を行う。
【００２０】
ＮＦＣチップ１８は、表示端末１０に近接された他のＮＦＣチップ搭載機器とＮＦＣ規格によるデータ通信を行う。
【００２１】
図４は、携帯端末４０の構成を示すブロック図である。携帯端末４０は、ＣＰＵ４１、ＲＯＭ４２、ＲＡＭ４３、補助記憶デバイス４４、タッチパネル４５、通信デバイス４６及びＮＦＣチップ４７を搭載し、これらをアドレスバス，データバス等のバスラインＢＬで接続する。
【００２２】
ＣＰＵ４１は、コンピュータの中枢部分に相当する。ＣＰＵ４１は、オペレーティングシステムやアプリケーションプログラムに従って、携帯端末４０としての各種の機能を実現するべく各部を制御する。
【００２３】
ＲＯＭ４２は、上記コンピュータの主記憶部分に相当する。ＲＯＭ４２は、上記のオペレーティングシステムやアプリケーションプログラムを記憶する。ＲＯＭ４２は、ＣＰＵ４１が各部を制御するための処理を実行する上で必要なデータを記憶する場合もある。
【００２４】
ＲＡＭ４３は、上記コンピュータの主記憶部分に相当する。ＲＡＭ４３は、ＣＰＵ４１が処理を実行する上で必要なデータを記憶する。またＲＡＭ４３は、ＣＰＵ４１によって情報が適宜書き換えられるワークエリアとしても利用される。
【００２５】
補助記憶デバイス４４は、上記コンピュータの補助記憶部分に相当する。補助記憶デバイス４４は、例えばフラッシュメモリカードである。補助記憶デバイス４４は、ＣＰＵ４１が各種の処理を行う上で使用するデータや、ＣＰＵ４１での処理によって生成されたデータを保存する。補助記憶デバイス４４は、上記のアプリケーションプログラムを記憶する場合もある。
【００２６】
タッチパネル４５は、表示デバイスであるパネル型ディスプレイの画面に、入力デバイスであるタッチセンサを配置したデバイス機器である。
【００２７】
通信デバイス４６は、前記第２の通信ネットワークを介してサーバ２０との間で行う双方向のデータ通信を制御する。
【００２８】
ＮＦＣチップ４７は、携帯端末４０に近接された他のＮＦＣチップ搭載機器とＮＦＣ規格によるデータ通信を行う。
【００２９】
図５は、サーバ２０の構成を示すブロック図である。サーバ２０は、ＣＰＵ２１、ＲＯＭ２２、ＲＡＭ２３、補助記憶デバイス２４、ネットワークインターフェース２５及び中継機インターフェース２６を搭載し、これらをアドレスバス，データバス等のバスラインＢＬで接続する。
【００３０】
ＣＰＵ２１は、コンピュータの中枢部分に相当する。ＣＰＵ２１は、オペレーティングシステムやアプリケーションプログラムに従って、サーバ２０としての各種の機能を実現するべく各部を制御する。
【００３１】
ＲＯＭ２２は、上記コンピュータの主記憶部分に相当する。ＲＯＭ２２は、上記のオペレーティングシステムやアプリケーションプログラムを記憶する。ＲＯＭ２２は、ＣＰＵ２１が各部を制御するための処理を実行する上で必要なデータを記憶する場合もある。
【００３２】
ＲＡＭ２３は、上記コンピュータの主記憶部分に相当する。ＲＡＭ２３は、ＣＰＵ２１が処理を実行する上で必要なデータを記憶する。またＲＡＭ２３は、ＣＰＵ２１によって情報が適宜書き換えられるワークエリアとしても利用される。
【００３３】
補助記憶デバイス２４は、上記コンピュータの補助記憶部分に相当する。補助記憶デバイス２４は、例えばＥＥＰＲＯＭ（Electric Erasable Programmable Read-Only Memory）、ＨＤＤ（Hard Disc Drive）、あるいはＳＳＤ（Solid State Drive）などである。補助記憶デバイス２４は、ＣＰＵ２１が各種の処理を行う上で使用するデータや、ＣＰＵ２１での処理によって生成されたデータを保存する。補助記憶デバイス２４は、上記のアプリケーションプログラムを記憶する場合もある。
【００３４】
ネットワークインターフェース２５は、前記第２の通信ネットワークを介して前記携帯端末４０などの通信機器との間で行う双方向のデータ通信を制御する。
【００３５】
中継機インターフェース２６は、前記第１の通信ネットワーク及び中継機３０を介して接続される各表示端末１０との間で行う双方向のデータ通信を制御する。
【００３６】
図６は、機器データベース５０に保存されるデータの構造例を示す模式図である。図６に示すように、機器データベース５０には、管理番号、機器名称、管理部所、管理者、棚札ＩＤ、場所ＩＤ、場所名及び棚札フラグを少なくとも含む機器データレコードを保存する。
【００３７】
機器データレコードの項目において、管理番号、機器名称、管理部所及び管理者は、管理対象の物品である各電子機器Ｍ１，Ｍ２，Ｍ３，Ｍ４に関する情報である。管理番号は、各電子機器Ｍ１，Ｍ２，Ｍ３，Ｍ４に対して一意に設定される固有のコード（物品コード）である。
【００３８】
機器データレコードの項目において、棚札ＩＤは、対応する管理番号で特定される電子機器Ｍ１，Ｍ２，Ｍ３，Ｍ４に添えられた表示端末１０を識別するコードである。場所ＩＤ及び場所名は、対応する管理番号で特定される電子機器Ｍ１，Ｍ２，Ｍ３，Ｍ４が配置される室Ｒ１，Ｒ２に関する情報である。各室Ｒ１，Ｒ２には、それぞれ固有の場所ＩＤと場所名とが予め設定されている。
【００３９】
機器データレコードの項目において、棚卸フラグは、後述する棚卸モードの処理においてセットまたはリセットされる。因みに本実施形態では、棚卸が未完了の電子機器に対応する機器データレコードの棚札フラグが“０”にリセットされる。棚卸が完了した電子機器に対応する機器データレコードの棚札フラグは“１”にセットされる。
【００４０】
上記機器データベース５０は、例えばサーバ２０の補助記憶デバイス２４に形成される。なお、サーバ２０が図示しない外部インターフェースを備え、この外部インターフェースを介して接続される記憶デバイスに上記機器データベース５０を形成してもよい。
【００４１】
図７は、補助記憶デバイス２４に形成されるデータテーブル５１，５２のデータ構造を示す模式図である。  
データテーブル５１は、場所ＩＤ及び場所名に関連付けて、中継機ＩＤと地図アドレスとを格納する。中継機ＩＤは、対応する場所ＩＤ及び場所名で特定される室Ｒ１，Ｒ２にそれぞれ配置された中継機３０の情報である。地図アドレスは、各室Ｒ１，Ｒ２のレイアウトを表す地図上で、対応する場所ＩＤ及び場所名で特定される室Ｒ１，Ｒ２の位置を示す情報である。以下、データテーブル５１を場所テーブル５１と称する。
【００４２】
データテーブル５２は、中継機ＩＤに関連付けて、１乃至複数の棚札ＩＤを格納する。棚札ＩＤは、対応する中継機ＩＤで特定される中継機３０が設置されている室Ｒ１，Ｒ２内に存在する表示端末１０の情報である。以下、データテーブル５２を中継機テーブル５２と称する。
【００４３】
このような構成の本システム１は、携帯端末４０に機器管理専用のアプリケーションプログラム（以下、機器管理プログラムと称する）を実装することで成り立つ。機器管理プログラムは、携帯端末４０のコンピュータに、棚卸モードとしての機能と、探索モードとしての機能を実現させる。はじめに、棚卸モードとしての機能について、図８〜図１２及び図１５に示す流れ図と、図１６〜図１８に示すタッチパネル４５の表示例とを参照して説明する。
【００４４】
図８及び図９は、棚卸モードが選択されたときの携帯端末４０のＣＰＵ４１が実行する情報処理手順を示す流れ図であり、図１０乃至図１２は、サーバ２０のＣＰＵ２１が実行する情報処理手順を示す流れ図である。図１５は、表示端末１０のＣＰＵ１３が実行する情報処理手順を示す流れ図である。なお、図８乃至図１２及び図１５に示すとともに以下に説明する処理の内容は一例であって、同様な結果を得ることが可能な様々な処理を適宜に利用できる。
【００４５】
管理者は、電子機器Ｍ１，Ｍ２，Ｍ３，Ｍ４の棚卸を行う場合、携帯端末４０において機器管理プログラムを起動する。そして管理者は、棚卸モードを選択する。
【００４６】
棚卸モードが選択されると、ＣＰＵ４１は、通信デバイス４６を介してサーバ２０宛に棚卸開始コマンドを送信する（Act１）。次いで、ＣＰＵ４１は、ＮＦＣチップ４７を介して近距離無線通信が行われるのを待機する（Act２）。この待機中、ＣＰＵ４１は、棚卸モードの終了が宣言されたか否かを監視する（Act３）。
【００４７】
管理者は、例えば第１ルームＲ１に行き、その場におかれている電子機器、例えば電子機器Ｍ１に添えられた表示端末１０に携帯端末４０に近づける。そうすると、携帯端末４０に搭載されたＮＦＣチップ４７と表示端末１０に搭載されたＮＦＣチップ１８との間で近距離無線通信が行われる。この通信により、表示端末１０は、携帯端末４０に対して、当該表示端末１０固有の棚札ＩＤを送信する（コード送信手段）。
【００４８】
携帯端末４０のＣＰＵ４１は、ＮＦＣチップ４７を介して近距離無線通信が行われたことを確認すると（Act２にてＹＥＳ）、当該表示端末１０から棚札ＩＤを取得したか否かを確認する（Act４）。棚札ＩＤを取得すると（Act４にてＹＥＳ）、ＣＰＵ４１は、通信デバイス４６を介してサーバ２０宛にその棚札ＩＤを送信する（Act５：コード転送手段）。
【００４９】
一方、サーバ２０のＣＰＵ２１は、携帯端末４０からのコマンドを待機する（Act３１）。ネットワークインターフェース２５を介してコマンドを受信すると（Act３１にてＹＥＳ）、ＣＰＵ２１は、そのコマンドが棚卸開始コマンドであるか否かを確認する（Act３２）。棚卸開始コマンドであるとき（Act３２にてＹＥＳ）、ＣＰＵ２１は、機器データベース５０に登録されている全機器データレコードの棚卸フラグを“０”にリセットする（Act３３）。
【００５０】
その後、ＣＰＵ２１は、携帯端末４０から棚札ＩＤを受信するか、棚卸終了コマンドを受信するのを待機する（Act３４，３５）。ネットワークインターフェース２５を介して棚札ＩＤを受信すると（Act３４にてＹＥＳ）、ＣＰＵ２１は、その棚札ＩＤで機器データベース５０を検索する（Act３６）。そしてＣＰＵ２１は、当該棚札ＩＤを含む機器データレコードの有無を確認する（Act３７）。該当する機器データレコードを検出すると（Act３８）、ＣＰＵ２１は、そのレコードから管理番号、機器名称、管理部所、管理者、棚札ＩＤ、場所ＩＤ及び場所名を取得する。またＣＰＵ２１は、場所テーブル５１から当該場所ＩＤに紐付された地図アドレスを取得する。そしてＣＰＵ２１は、これらの取得情報（機器情報）を、ネットワークインターフェース２５を介して棚札ＩＤ送信元の携帯端末４０宛に送信する（Act３８：場所情報送信手段）。
【００５１】
Act５にて棚札ＩＤを送信した携帯端末４０のＣＰＵ４１は、サーバ２０から機器情報が送られてくるのを待機する（Act６）。通信デバイス４６を介して機器情報を受信すると（Act６にてＹＥＳ）、ＣＰＵ４１は、その機器情報から機器情報画面６０を編集し、タッチパネル４５に表示させる（Act７）。
【００５２】
機器情報画面６０の一例を図１６に示す。図示するように、機器情報画面６０には、機器情報に含まれる管理番号、機器名称、管理部所、管理者及び場所名が表示される。また、各室Ｒ１，Ｒ２のレイアウトを表す地図６１が表示される。そしてこの地図６１上の、場所ＩＤに紐付された地図アドレスで特定される領域（図１６の場合は第１ルームＲ１）が、他の領域と識別して表示される。例えば、他の領域と色を異ならせて表示される。さらに、機器情報画面６０には、確認ボタン６２と移動ボタン６３とが表示される。
【００５３】
したがって管理者は、電子機器Ｍ１の名称や本来の設置場所等を機器情報画面６０から確認することができる。例えば図１６の表示例において、管理者が第１ルームＲ１にて電子機器Ｍ１の棚卸を行った場合、電子機器Ｍ１は本来の存在場所が第１ルームＲ１なので、電子機器Ｍ１は正しい場所にあると認識できる。ところが、管理者が第２ルームＲ２にて電子機器Ｍ１の棚卸を行った場合には、第１ルームＲ１にあるべき電子機器Ｍ２が第２ルームＲ２にあるので、不正に動かされていると認識できる。
【００５４】
電子機器Ｍ１の設置場所が正しい場合、管理者は、確認ボタン６２にタッチする。設置場所が正しくない場合には、管理者は、移動ボタン６３にタッチする。また、設置場所が正しい電子機器Ｍ１を別の場所、例えば第１ルームＲ１〜第２ルームＲ２に移動させる場合にも、管理者は、移動ボタン６３にタッチする。
【００５５】
Act７にて機器情報画面６０を表示させたＣＰＵ４１は、確認ボタン６２がタッチされるか（Act８）、移動ボタン６３がタッチされるのを待機する（Act９）。確認ボタン６２がタッチされたことを検知すると（Act８にてＹＥＳ）、ＣＰＵ４１は、通信デバイス４６を介してサーバ２０宛に確認信号を送信する（Act１０：確認送信手段）。この確認信号には、Act４の処理で取得した棚札ＩＤが含まれる。続いてＣＰＵ４１は、確認完了を報知する（Act１１）。例えばＣＰＵ４１は、機器情報画面６０から確認ボタン６２と移動ボタン６３とを消去することで、確認完了を報知する。その後、ＣＰＵ４１は、Act２の処理に戻る。
【００５６】
なお、Act１０及びAct１１の処理手順は、前後が逆であってもよい。また、確認完了の報知手段は、上記実施形態に限定されるものではない。例えば、携帯端末４０に搭載されているブザーから完了音を鳴動させてもよい。要は、管理者が電子機器Ｍ１の確認完了を確認できればよい。
【００５７】
一方、Act７にて機器情報画面６０を表示させた後、移動ボタン６３がタッチされたことを検知した場合には（Act９にてＹＥＳ）、ＣＰＵ４１は、図９に具体的に示す移動手続処理を実行する（Act１２）。すなわちＣＰＵ４１は、通信デバイス４６を介してサーバ２０宛に移動申請信号を送信する（Act２１）。この移動申請信号には、Act４の処理で取得した棚札ＩＤが含まれる。
【００５８】
Act３８にて機器情報を送信したサーバ２０のＣＰＵ２１は、携帯端末４０からの確認信号または移動申請信号を待機する（Act３９，４０）。ネットワークインターフェース２５を介して受信した信号が確認信号であった場合（Act３９にてＹＥＳ）、ＣＰＵ２１は、その確認信号に含まれる棚札ＩＤが設定された機器データレコードの棚卸フラグを“１”にセットする（Act４１：存在登録手段）。その後、ＣＰＵ２１は、Act３４の処理に戻る。
【００５９】
これに対し、受信信号が移動申請信号であった場合（Act４０にてＹＥＳ）、ＣＰＵ２１は、図１１に具体的に示す移動申請処理を実行する（Act４２）。すなわちＣＰＵ２１は、場所テーブル５１に設定されている各場所名から移動先一覧データを作成する（Act５１）。そしてＣＰＵ２１は、この移動先一覧データを含む許諾応答を、ネットワークインターフェース２５を介して移動申請信号送信元の携帯端末４０宛に送信する（Act５２）。
【００６０】
Act２１にて移動申請信号を送信した携帯端末４０のＣＰＵ４１は、サーバ２０からの許諾応答を待機する（Act２２）。通信デバイス４６を介して許諾応答を受信すると（Act２２にてＹＥＳ）、ＣＰＵ４１は、その許諾応答に含まれる移動先一覧データを用いて移動管理画面７０を編集し、タッチパネル４５に表示させる（Act１２）。
【００６１】
移動管理画面７０に一例を図１７に示す。この例は、図１６の機器情報画面６０において、移動ボタン６３がタッチされた場合である。図１７に示すように移動管理画面７０には、機器情報画面６０と同様の地図７１とともに、移動先選択ボタン７２と確定ボタン７３とが表示される。移動先選択ボタン７２は、タッチ入力により移動先となる場所名の一覧がプルダウン表示されるので、管理者は、この一覧の中から移動先とする場所名にタッチし、確定ボタン７３にタッチする。その後、管理者は、電子機器Ｍ１を移動先として選択した場所、例えば第２ルームＲ２に移動させる。
【００６２】
ＣＰＵ４１は、確定ボタン７３がタッチされるのを待機する（Act２４）。確定ボタン７３がタッチされたことを検知すると（Act２４にてＹＥＳ）、ＣＰＵ４１は、通信デバイス４６を介してサーバ２０宛に、移動先として選択された場所名と、Act４の処理で取得した棚札ＩＤとを含む許可申請信号を送信する（Act２５：移動先送信手段）。
【００６３】
Act５２にて許諾応答を送信したサーバ２０のＣＰＵ２１は、携帯端末４０からの許可申請信号を待機する（Act５３）。ネットワークインターフェース２５を介して許可申請信号を受信すると（Act５３にてＹＥＳ）、ＣＰＵ２１は、その許可申請信号に含まれる棚札ＩＤと場所名とで機器データベース５０を検索する（Act５４）。そしてＣＰＵ２１は、棚札ＩＤを含む機器データレコードの場所名と許可申請信号に含まれる場所名とが一致するか否かを確認する（Act５５）。一致しない場合（Act５５にてＮＯ）、ＣＰＵ２１は、当該レコードの場所名と場所ＩＤとを、移動先として選択された場所名及びその場所ＩＤとに更新し（Act５６）、当該レコードの棚卸フラグを“１”にセットする（Act５７：場所更新登録手段）。さらにＣＰＵ２１は、場所テーブル５１から許可申請信号に含まれる場所名に関連付けられた中継機ＩＤを取得する。そしてＣＰＵ２１は、この中継機ＩＤに関連付けて許可申請信号に含まれる棚札ＩＤが設定されるように、中継機テーブル５２を更新する（Act５８）。
【００６４】
一方、棚札ＩＤを含む機器データレコードの場所名と許可申請信号に含まれる場所名とが一致する場合には(Act５５にてＹＥＳ)、ＣＰＵ２１は、Act５６〜Ac５８の処理を実行しない。
【００６５】
棚卸の際に正しい場所である第１ルームＲ１に設置されていた電子機器Ｍ１を、移動先である第２ルームＲ２に移動させる場合、Act５５の処理にて場所名は不一致となる。この場合、本システム１は、当該電子機器Ｍ１の棚卸は完了したとみなす。すなわちサーバ２０は、電子機器Ｍ１に関する機器データレコードの棚卸フラグを“１”にセットする。これに対し、誤った場所である第２ルームＲ２に設置されていた電子機器Ｍ１を正しい場所である第１ルームＲ１に移動させる場合には、Act５５の処理にて場所名は一致する。この場合、本システム１は、当該電子機器Ｍ１の棚卸が未完とみなす。すなわちサーバ２０は、電子機器Ｍ１に関する機器データレコードの棚卸フラグを“０”にリセットしたままとする。
【００６６】
Act５８の処理を終えるか、Act５５にて「ＹＥＳ」と判断された場合、ＣＰＵ２１は、許可申請信号に含まれる棚札ＩＤに紐付された地図アドレスと場所名とを含む許諾応答信号を生成する。そしてＣＰＵ２１は、ネットワークインターフェース２５を介して許可申請信号送信元の携帯端末４０宛に許諾応答信号を送信する（Act５９）、その後、ＣＰＵ２１は、Act３４の処理に戻る。
【００６７】
Act２５にて許可申請信号を送信した携帯端末４０のＣＰＵ４１は、サーバ２０からの許諾応答信号を待機する（Act２６）。通信デバイス４６を介して許諾応答信号を受信すると（Act２６にてＹＥＳ）、ＣＰＵ４１は、申請完了画面８０を編集し、タッチパネル４５に表示させる（Act２７）。
【００６８】
申請完了画面８０の一例を図１８に示す。この例は、図１７の移動管理画面７０において、移動先として第２ルームＲ２を指定した場合である。図１８に示すように、申請完了画面８０には、許諾応答信号に含まれる場所名が表示される。また、各室Ｒ１，Ｒ２のレイアウトを表す地図８１が表示される。そしてこの地図８１上の、許諾応答信号に含まれる地図アドレスで特定された領域（図１８の場合は第２ルームＲ２）が、他の領域と識別して表示される。例えば、他の領域と色を異ならせて表示される。
【００６９】
したがって管理者は、申請完了画面８０を確認することで、サーバ２０の機器データベース５０で管理される電子機器Ｍ１の存在場所が、第１ルームＲ１から第２ルームＲ２に変更されたことを確認できる。  
申請完了画面８０を表示させた後、ＣＰＵ４１は、Act２の処理に戻る。
【００７０】
棚卸作業を終了した管理者は、棚卸モードの終了を宣言する。例えば管理者は、タッチパネル４５に表示されている終了ボタンにタッチする。棚卸モードの終了が宣言されると（Act３にてＹＥＳ）、ＣＰＵ４１は、通信デバイス４６を介してサーバ２０宛に、棚卸終了コマンドを送信して（Act１３）、棚卸モードの処理を終了する。
【００７１】
サーバ２０のＣＰＵ２１は、ネットワークインターフェース２５を介して携帯端末４０からの棚卸終了コマンドを受信した場合（Act３５にてＹＥＳ）、図１２にて具体的に示す機器探索処理を実行する（Act４３）。すなわちＣＰＵ２１は、機器データベース５０から棚卸フラグが“０”にリセットされたままの機器データレコードを抽出する（Act６１）。ＣＰＵ２１は、該当する機器データレコードを抽出できたか否かを確認する（Act６２）。
【００７２】
棚卸が実行されなかった電子機器の機器データレコードは、棚卸フラグが“０”にリセットされたままである。また、棚卸を行った結果、誤った場所に設置されていた電子機器の機器データレコードも、棚卸フラグが“０”にリセットされたままである。
【００７３】
棚卸フラグが“０”にリセットされた機器データレコードを抽出した場合（Act６２にてＹＥＳ）、ＣＰＵ２１は、その機器データレコードから棚札ＩＤと場所ＩＤとを検出する（Act６３）。続いてＣＰＵ２１は、場所テーブル５１を参照して、当該場所ＩＤに紐付された中継機ＩＤを検出する（Act６４）。ＣＰＵ２１は、当該中継機ＩＤで特定される中継機３０から当該棚札ＩＤを含む呼出信号を発信させる（Act６５：呼出送信手段）。
【００７４】
その後ＣＰＵ２１は、Act６１の処理に戻る。そして棚卸フラグが“０”にリセットされた機器データレコードをさらに抽出した場合、ＣＰＵ２１は、上記Act６３〜Act６５の処理を実行する。ＣＰＵ２１は、棚卸フラグが“０”にリセットされた全ての機器データレコードについて上記Act６３〜Act６５の処理を実行したならば（Act６２にてＹＥＳ）、機器探索処理を終了する。
【００７５】
このように、機器探索処理が実行されると、棚卸フラグが“０”にリセットされた機器データレコードの棚札ＩＤを含む呼出信号が、当該レコードの場所ＩＤに紐付された中継機ＩＤで特定される中継機３０から発信される。
【００７６】
上記呼出信号は、その信号に含まれる棚札ＩＤが設定された表示端末１０が、当該中継機３０が設置されている室内に存在する場合、この表示端末１０によって受信される。このとき、表示端末１０のＣＰＵ１３は、図１５のAct１０１〜Act１０６の処理を実行する。すなわちＣＰＵ１３は、無線信号の受信を待機する（Act１０１）。そして、中継機３０を介して発信される無線信号を受信すると（Act１０１にてＹＥＳ）、ＣＰＵ１３は、その無線信号が自己宛か否かを確認する（Act１０２）。無線信号に含まれる棚札ＩＤが自己に設定されている棚札ＩＤと一致しない場合、ＣＰＵ１３は、自己宛でないと認識する（Act１０２にてＮＯ）。自己宛でない無線信号を受信した場合、ＣＰＵ１３は、次の無線信号を待機する（Act１０１）。
【００７７】
無線信号に含まれる棚札ＩＤが自己に設定されている棚札ＩＤと一致する場合には、ＣＰＵ１３は、自己宛であると認識する（Act１０２にてＹＥＳ）。自己宛の無線信号を受信した場合、ＣＰＵ１３は、信号の種類を調べる（Act１０３，１０７）。
【００７８】
受信した無線信号が呼出信号であった場合（Act１０３にてＹＥＳ）、ＣＰＵ１３は、ブザー１７にオン信号を出力する（Act１０４：呼出警報手段）。この処理により、ブザー１７が鳴動する。ブザー１７にオン信号を出力した後、ＣＰＵ１３は、近距離無線通信が行われるのを待機する（Act１０５）。ＮＦＣチップ１８を介して近距離無線通信が行われたことを確認すると（Act１０５にてＹＥＳ）、ＣＰＵ１３は、ブザー１７にオフ信号を出力する（Act１０６）。この処理によりブザー１７が停止する。
【００７９】
例えば第１ルームＲ１に設置されている電子機器Ｍ２の棚卸を担当者が忘れたまま、棚卸モードの終了を宣言した場合、その電子機器Ｍ２に添えられた表示端末１０の棚札ＩＤを含む呼出信号が、第１ルームＲ１に設けられた中継機３０から発信される。その結果、電子機器Ｍ２に添えられた表示端末１０からブザー音が鳴動する。したがって担当者は、棚卸をし忘れた電子機器Ｍ２が第１ルームＲ１内に存在していることに気が付く。この場合、担当者は、ブザー音が鳴動している表示端末１０に携帯端末４０を近づける。そうすると、ブザー音が停止するので、その電子機器Ｍ２に対して棚卸を行えばよい。
【００８０】
また、棚卸を行った結果、正しくない場所（例えば第２ルームＲ２）に設置されていた電子機器Ｍ１を基の場所（例えば第１ルームＲ１）に戻した担当者が棚卸モードの終了を宣言した場合を想定する。この場合、電子機器Ｍ１に添えられた表示端末１０の棚札ＩＤを含む呼出信号が、第１ルームＲ１に設けられた中継機３０から発信される。その結果、電子機器Ｍ１に添えられた表示端末１０からブザー音が鳴動する。したがって担当者は、電子機器Ｍ１を正しい場所に戻したことを確認できる。ブザー音は、担当者が表示端末１０に携帯端末４０を近づけることで停止するので、その電子機器Ｍ１に対して再度棚卸を行えばよい。因みに、担当者が電子機器Ｍ１を正しい場所に戻したと勘違いして終了宣言した場合には、その電子機器Ｍ１に添えられた表示端末１０からブザー音が鳴らない。したがって担当者は、電子機器Ｍ１を間違えた場所に移動させたことには気が付く。
【００８１】
次に、探索モードとしての機能について、図１３〜図１５に示す流れ図と、図１９〜図２０に示すタッチパネル４５の表示例とを参照して説明する。  
図１３は、探索モードが選択されたときの携帯端末４０のＣＰＵ４１が実行する情報処理手順を示す流れ図であり、図１４は、サーバ２０のＣＰＵ２１が実行する情報処理手順を示す流れ図である。図１５は、表示端末１０のＣＰＵ１３が実行する情報処理手順を示す流れ図である。なお、図１３乃至図１５に示すとともに以下に説明する処理の内容は一例であって、同様な結果を得ることが可能な様々な処理を適宜に利用できる。
【００８２】
管理者は、不明となった電子機器、例えば電子機器Ｍ３を探索する場合、携帯端末４０において機器管理プログラムを起動する。そして管理者は、探索モードを選択する。  
探索モードが選択されると、ＣＰＵ４１は、通信デバイス４６を介してサーバ２０宛に探索要求コマンドを送信する（Act７１）。
【００８３】
サーバ２０のＣＰＵ２１は、携帯端末４０からのコマンドを待機する（Act８１）。ネットワークインターフェース２５を介してコマンドを受信すると（Act８１にてＹＥＳ）、そのコマンドが探索要求コマンドであるか否かを確認する（Act８２）。探索要求コマンドであるとき（Act８２にてＹＥＳ）、ＣＰＵ２１は、機器データベース５０に登録されている全機器データレコードの機器名称から機器一覧データを作成する（Act８３）。そしてＣＰＵ２１は、この機器一覧データを含む許諾応答を、ネットワークインターフェース２５を介して探索要求コマンド送信元の携帯端末４０宛に送信する（Act８４）。
【００８４】
Act７１にて探索要求コマンドを送信した携帯端末４０のＣＰＵ４１は、サーバ２０からの許諾応答を待機する（Act７２）。通信デバイス４６を介して許諾応答を受信すると（Act７２にてＹＥＳ）、ＣＰＵ４１は、その許諾応答に含まれる機器一覧データを用いて機器選択画面を編集し、タッチパネル４５に表示させる（Act７３）。機器選択画面には、機器名称の一覧が表示される。また、確定ボタンが表示される。担当者は、探索を行う電子機器Ｍ３の名称を選択し、確定ボタンにタッチして、探索対象の電子機器Ｍ３を選択する。
【００８５】
ＣＰＵ４１は、機器選択画面から探索対象の電子機器が選択されるのを待機する（Act７４）。電子機器が選択されると（Act７４）、ＣＰＵ４１は、その選択された電子機器の管理番号を含む探索開始信号を、通信デバイス４６を介してサーバ２０宛に送信する（Act７５：探索コード転送手段）。
【００８６】
Act８４にて許諾応答信号を送信したサーバ２０のＣＰＵ２１は、携帯端末４０からの探索開始信号を待機する（Act８５）。ネットワークインターフェース２５を介して探索開始信号を受信したならば（Act８５にてＹＥＳ）、ＣＰＵ２１は、その探索開始信号に含まれる管理番号で機器データベース５０を検索し、当該管理番号を含む機器データレコードから棚札ＩＤを取得する（Act８６）。そしてＣＰＵ２１は、その棚札ＩＤを含む問合せ信号を全ての中継機３０から発信させる（Act８７：問合せ送信手段）。
【００８７】
問合せ信号を発信させた後、ＣＰＵ２１は、表示端末１０からの応答信号を受信したか否かを確認する（Act８８）。中継機３０を介して応答信号を受信した場合（Act８８にてＹＥＳ）、ＣＰＵ２１は、その応答信号を受信した中継機３０の中継機ＩＤを検出する（Act８９）。続いてＣＰＵ２１は、場所テーブル５１を検索して、当該中継機ＩＤに紐付された場所名及び地図アドレスを取得する（Act９０）。そしてＣＰＵ２１は、ネットワークインターフェース２５を介して探索要求コマンド送信元の携帯端末４０に場所名及び地図アドレスを含む機器検出応答信号を送信する（Act９１：場所情報送信手段）。
【００８８】
一方、所定時間が経過しても表示端末１０からの応答信号を受信できない場合（Act８８にてＮＯ）、ＣＰＵ２１は、ネットワークインターフェース２５を介して探索要求コマンド送信元の携帯端末４０に機器不明応答信号を送信する（Act９２）。
【００８９】
Act８７の処理で発信される問合せ信号は、その問合せ信号に含まれる棚札ＩＤが設定された表示端末１０によって受信される。このとき、表示端末１０のＣＰＵ１３は、図１５のAct１０１〜Act１０３及びAct１０７〜Act１１１の処理を実行する。すなわちＣＰＵ１３は、無線信号の受信を待機しており（Act１０１）、中継機３０を介して発信される無線信号を受信すると（Act１０１にてＹＥＳ）、その無線信号が自己宛か否かを確認する（Act１０２）。無線信号に含まれる棚札ＩＤが自己に設定されている棚札ＩＤと一致しない場合、ＣＰＵ１３は、自己宛でないと認識する（Act１０２にてＮＯ）。その場合、ＣＰＵ１３は、次の無線信号を待機する（Act１０１）。
【００９０】
無線信号に含まれる棚札ＩＤが自己に設定されている棚札ＩＤと一致する場合には、ＣＰＵ１３は、自己宛であると認識する（Act１０２にてＹＥＳ）。自己宛の無線信号を受信した場合、ＣＰＵ１３は、信号の種類を調べる（Act１０３，１０７）。
【００９１】
受信した無線信号が問合せ信号であった場合（Act１０７にてＹＥＳ）、ＣＰＵ１３は、問合せ信号の送信元であるサーバ２１に対して応答信号を送信する（Act１０８：問合せ応答手段）。続いてＣＰＵ１３は、ブザー１７にオン信号を出力する（Act１０９：問合せ警報手段）。この処理により、ブザー１７が鳴動する。ブザー１７にオン信号を出力した後、ＣＰＵ１３は、近距離無線通信が行われるのを待機する（Act１１０）。ＮＦＣチップ１８を介して近距離無線通信が行われたことを確認すると（Act１１０にてＹＥＳ）、ＣＰＵ１３は、ブザー１７にオフ信号を出力する（Act１１１：警報停止手段）。この処理によりブザー１７が停止する。
【００９２】
Act７５にて探索開始信号を送信した携帯端末４０のＣＰＵ４１は、サーバ２１からの応答信号を待機する（Act７６）。応答信号が機器検出応答信号であった場合（Act７６にてＹＥＳ）、ＣＰＵ４１は、機器検出画面９０を編集し、タッチパネル４５に表示させる（Act７７：場所表示手段）。応答信号が機器不明応答信号であった場合には（Act７６にてＮＯ）、ＣＰＵ４１は、機器不明画面９５を編集し、タッチパネル４５に表示させる（Act７８）。
【００９３】
機器検出画面９０の一例を図１９に示す。また、機器不明画面９５の一例を図２０に示す。機器検出画面９０及び機器不明画面９５には、探索対象として選択した電子機器Ｍ３に関して、機器データベース６０に設定されている管理番号、機器名称、管理部所、管理者及び場所名が表示される。また、各室Ｒ１．Ｒ２のレイアウトを表す地図９１が表示される。そして機器検出画面９０においては、機器検出応答信号に含まれる地図アドレスで特定される領域（図１９では第２ルームＲ２）が、他の領域と識別して表示される。さらに、機器検出画面９０及び機器不明画面９５には、次へボタン９２と終了ボタン９３とが表示される。
【００９４】
したがって、機器検出画面９０を確認した管理者は、探索要求を行った電子機器Ｍ３が第２ルームＲ３に設置されていることを確認できる。このとき、電子機器Ｍ３に添えられた表示端末１０のブザーが鳴動しているので、管理者は、電子機器Ｍ３が第２ルームＲ２内のどこにあるのかも容易に特定できる。しかもブザー音を消すためには、表示端末１０に携帯端末４０を近づける必要があるため、管理者は、電子機器Ｍ３の存在を確実に認識できる。
【００９５】
一方、機器不明画面９５を確認した管理者は、探索要求を行った電子機器Ｍ３が室Ｒ１，Ｒ２内に存在しないか、当該電子機器Ｍ３に添えられた表示端末１０が故障しているのではないかと推測できる。
【００９６】
機器検出画面９０または機器不明画面９５を確認した管理者は、さらに別の電子機器を探索する場合、次へボタン９２にタッチする。探索を終了する場合には、管理者は、終了ボタン９３にタッチする。
【００９７】
Act７７またはAct７８にて機器検出画面９０または機器不明画面９５を表示させた携帯端末４０のＣＰＵ４１は、次へボタン９２がタッチされるのを待機する（Act７９）。そして、次へボタン９２がタッチされたことを検知すると（Act７９にてＹＥＳ）、ＣＰＵ４１は、Act７３の処理に戻る。したがって、機器選択画面から選択された機器名称の電子機器の探索処理が再び実行される。
【００９８】
一方、次へボタン９２でなく終了ボタン９３がタッチされたことを検知した場合には（Act７９にてＮＯ）、ＣＰＵ４１は、タッチパネル４５の画面を消去して（Act８０）、探索モードの処理を終了する。
【００９９】
このように本実施形態によれば、電子機器の棚卸作業を行う際に、担当者が電子機器の管理台帳等を使用して、電子機器固有の機器管理番号とその電子機器が置かれている場所とを照合する必要がないので、手間を軽減できる。また、棚卸作業に要する時間も短縮できる。
【０１００】
また本実施形態によれば、棚卸を行った電子機器が別の場所に移されていた場合に直ぐに見つけだすことができる。しかも、棚卸を行った電子機器を意図的に別の場所に移す場合には、機器データベース５０で管理される当該電子機器の場所情報が自動的に更新されるので、担当者の負担になることはない。
【０１０１】
さらに本実施形態によれば、行方不明となった電子機器を簡単に探索することができる。そして、その電子機器が見つかった場合には、担当者が確実にその電子機器の存在を確認できる。
【０１０２】
なお、本発明は、前記実施形態に限定されるものではない。  
例えば前記実施形態では、表示端末１０が携帯端末４０との近距離無線通信において棚札ＩＤを送信したが、棚札ＩＤの代わりに、当該表示端末１０が添えられている電子機器の管理番号を送信してもよい。
【０１０３】
また、前記実施形態では、移動管理画面７０においてプルダウン表示される場所名の一覧から移動先を選択する場合を示したが、地図７１の移動先となる場所にタッチすることで移動先を指定してもよい。
【０１０４】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０５】
１０…表示端末、２０…機器管理サーバ、３０…中継機、４０…携帯端末、５０…機器データベース、１８，４７…ＮＦＣチップ、５１……場所テーブル、５２…中継機テーブル。
【図１】
0006383613.tif 000002
【図２】
0006383613.tif 000003
【図３】
0006383613.tif 000004
【図４】
0006383613.tif 000005
【図５】
0006383613.tif 000006
【図６】
0006383613.tif 000007
【図７】
0006383613.tif 000008
【図８】
0006383613.tif 000009
【図９】
0006383613.tif 000010
【図１０】
0006383613.tif 000011
【図１１】
0006383613.tif 000012
【図１２】
0006383613.tif 000013
【図１３】
0006383613.tif 000014
【図１４】
0006383613.tif 000015
【図１５】
0006383613.tif 000016
【図１６】
0006383613.tif 000017
【図１７】
0006383613.tif 000018
【図１８】
0006383613.tif 000019
【図１９】
0006383613.tif 000020
【図２０】
0006383613.tif 000021